(57)【要約】【課題】スプリンクラーヘッドを天井に設置する工事の施工性を向上する。【解決手段】上部に天井部材３１と当接する当接面２が形成されかつ当接面２の略中央に天井部材３１から垂設された雄ねじ３２に螺着される雌ねじ部３が刻設されるとともに下部に雌ねじ部４が刻設された台座１と、筒状に形成されて上部に雌ねじ部４に螺着される雄ねじ部６が刻設されるとともに本体側面に雌ねじ７〜９が貫通して刻設された上部接続管５と、上部接続管５にその下端から抜き差し自在に挿入されるとともに下部に雄ねじ部１３が刻設された下部接続管１２と、上端部に下部接続管１２の雄ねじ部１３に螺着される雌ねじ部１５が刻設されかつ下端部にスプリンクラーヘッド１７が螺着される雌ねじ部１６が刻設されるとともに中間の端部に給水管が接続されるメカニカル継手１９を設けたチーズ１４とを備える。【選択図】  図１
2010000263.tif 000002
【特許請求の範囲】
【請求項１】
上部に天井部材と当接する当接面が形成されかつ該当接面の略中央に前記天井部材から垂設された雄ねじに螺着される雌ねじ部が刻設されるとともに下部に螺合方向を垂直にした雌ねじ部が刻設された台座と、
筒状に形成されて上部に前記台座下部の雌ねじ部に螺着される雄ねじ部が刻設されるとともに本体側面に雌ねじが貫通して刻設された上部接続管と、
該上部接続管にその下端から抜き差し自在に挿入されるとともに下部に螺合方向を垂直にした雄ねじ部が刻設された下部接続体と、
前記上部接続管の雌ねじに螺合されて下部接続体を押圧することにより前記上部接続管に対する下部接続体の垂直方向の位置決めをする押しねじと、
上端に前記下部接続体の雄ねじ部に螺着される雌ねじ部が刻設されかつ下端にスプリンクラーヘッドまたは下端にスプリンクラーヘッドを螺着した接続管が螺着される雌ねじ部が刻設されるとともに中間の端部に給水管が接続される雄ねじ部が刻設されたチーズであって前記上端の雌ねじ部は閉塞されて前記中間の端部と前記下端の雌ねじ部とのみが連通されたチーズと、
を備えたことを特徴とするスプリンクラーヘッド取付具。
【請求項２】
請求項１に記載のスプリンクラーヘッド取付具において、
前記チーズの中間端部の雄ねじ部をメカニカル継手としたことを特徴とするスプリンクラーヘッド取付具。
【請求項３】
請求項１または２に記載のスプリンクラーヘッド取付具において、
前記チーズの中間の端部に接続される給水管として、薄肉金属管の内側に架橋ポリエチレン層を形成するとともに、前記薄肉金属管の外側にポリエチレン層を形成したスプリンクラー用巻き出し管を用いたことを特徴とするスプリンクラーヘッド取付具。
【請求項４】
請求項３に記載のスプリンクラーヘッド取付具において、
前記薄肉金属管の外側のポリエチレン層は難燃性を増大するフィラーを混入したポリエチレンよりなることを特徴とするスプリンクラーヘッド取付具。
【請求項５】
請求項３または４に記載のスプリンクラーヘッド取付具において、
前記薄肉金属管の外側のポリエチレン層の外表面に耐火塗料を塗布したことを特徴とするスプリンクラーヘッド取付具。
【発明の詳細な説明】
【技術分野】
【０００１】
本発明は、スプリンクラーヘッド取付具に関し、詳しくは天井の部材にスプリンクラーヘッドを容易に取り付けることのできるスプリンクラーヘッド取付具に関する。
【背景技術】
【０００２】
従来、スプリンクラーヘッドを天井に設置する場合は、特許文献１に記載されている「スプリンクラー用配管部品」のようにして設置されている。
特許文献１の図７には、スプリンクラー用配管部品のスプリンクラー接続金具１２の天井材への取り付け例が示されている。
図において、可とう管１の一端に接続固定されたスプリンクラー接続金具１２は、Ｃ形鋼材２１間に渡されたコ状バー２２にワンタッチ固定金具２４で取り付けられている。この固定金具２４は、側面コ字形をしており、両先端辺は、接続金具１２を挿通できる程度の貫通孔が形成されており、中央辺には外側からねじ２４ａがねじ込まれるようになっている。
前記貫通孔に接続金具１２を挿通した状態で接続金具１２とねじ２４ａとでコ状バー２２をはさみつけるようにしてねじ２４ａをねじ込み固定する。コ状バー２２は、コ状バー固定金具２３でＣ形鋼材２１に固定されている。
このコ状バー固定金具２３は、側面コ字形をしているとともに中央辺にはコ状バー２２を挿通できる程度の貫通孔が形成されており、一方の先端辺には外側からねじ２３ａがねじ込まれるようになっている。
他方の先端辺をＣ形鋼材の一方の先端辺に引っかけるとともに、この貫通孔にコ状バー２２を挿通した状態でねじ２３ａをねじ込み、ねじ２３ａと金具２３の他方の先端辺とでＣ形鋼材とコ状バー２２をはさみつけるようにして固定する。
【０００３】
【特許文献１】特開平５−６０２８３号公報
【発明の開示】
【発明が解決しようとする課題】
【０００４】
しかしながら、上述した従来例では、スプリンクラーヘッドを天井に設置する場合、その位置決めのために、Ｃ形鋼材とコ状バーを天井に縦横に張り渡さなければならず、余分な資材を必要とするとともにそのための施工が煩わしいという問題があった。また、地震発生時には、スプリンクラーヘッドが、剛性が充分でないＣ形鋼材とコ状バーに支持されているため耐震性が乏しいという問題があった。
そこで、本発明は、スプリンクラーヘッドを天井に設置する場合に、位置決めのために余分な資材を必要とすることなく、容易に施工ができるスプリンクラーヘッド取付具を提案することを目的とした。
【課題を解決するための手段】
【０００５】
上記課題を解決するために、本発明は、上部に天井部材と当接する当接面が形成されかつ該当接面の略中央に前記天井部材から垂設された雄ねじに螺着される雌ねじ部が刻設されるとともに下部に螺合方向を垂直にした雌ねじ部が刻設された台座と、筒状に形成されて上部に前記台座下部の雌ねじ部に螺着される雄ねじ部が刻設されるとともに本体側面に雌ねじが貫通して刻設された上部接続管と、該上部接続管にその下端から抜き差し自在に挿入されるとともに下部に螺合方向を垂直にした雄ねじ部が刻設された下部接続体と、前記上部接続管の雌ねじに螺合されて下部接続体を押圧することにより前記上部接続管に対する下部接続体の垂直方向の位置決めをする押しねじと、上端に前記下部接続体の雄ねじ部に螺着される雌ねじ部が刻設されかつ下端にスプリンクラーヘッドまたは下端にスプリンクラーヘッドを螺着した接続管が螺着される雌ねじ部が刻設されるとともに中間の端部に給水管が接続される雄ねじ部が刻設されたチーズであって前記上端の雌ねじ部は閉塞されて前記中間の端部と前記下端の雌ねじ部とのみが連通されたチーズとを備えたことを特徴とする。
ここで、前記チーズの中間端部の雄ねじ部をメカニカル継手とすることも可能である。
なお、前記チーズの中間の端部に接続される給水管として、薄肉金属管の内側に架橋ポリエチレン層を形成するとともに、前記薄肉金属管の外側にポリエチレン層を形成したスプリンクラー用巻き出し管を用いることも可能である。
また、前記薄肉金属管の外側のポリエチレン層は難燃性を増大するフィラーを混入したポリエチレンとすることも可能である。
さらに、前記薄肉金属管の外側のポリエチレン層の外表面に耐火塗料を塗布することも可能である。
【発明の効果】
【０００６】
以上述べたように本発明によれば、スプリンクラーヘッドが取り付けられる位置の天井部材に雄ねじを突設しておけば、その雄ねじに螺着した後、スプリンクラーヘッドを所定のレベルに調節して固定することが可能となり、スプリンクラーヘッドの設置工事の施工性が向上するとともに、位置合わせのために余分な資材を天井に取り付けることが不要となる。
また、配管として三層構造のスプリンクラー用巻き出し管を用いると、配管の作業が容易となりさらに施工性を向上することができる。
さらに、スプリンクラーヘッド取付具を天井のスラブに直接固定した場合は、従来のＣ形鋼材等の支持部材に固定させる場合に比較して耐震性が向上する。
また、スプリンクラーヘッド取付具には、上部接続管と下部接続体とからなる高さ調節機能を備えているため、スプリンクラーヘッドの高さ調整が容易となり、施工性が向上する。
さらに、スプリンクラーヘッド取付具の台座は、天井から垂設されているアンカーボルト等に直接螺着させる構造であるため、別部品としてナットを用意する必要がなくなり、部品点数を削減できるとともに、施工性が向上する。
また、三層構造の薄肉金属管からなる巻き出し管を用いると、フレキシブル管に比較して通水時の圧力損失が小さいため、その分、送水用のポンプの小型化が可能となる。
【発明を実施するための最良の形態】
【０００７】
以下、図に基づいて本発明の実施形態を説明する。図１は本発明に係るスプリンクラーヘッド取付具の斜視図であり、図２は図１の分解斜視図であり、図３は図１の一部を構成するチーズおよびメカニカル継手の分解断面図であり、図４は設置状態を示す縦断面図である。
【０００８】
図１および図２において、１は台座であり、上部は円盤状に形成されてその上面に天井部材と当接する当接面２が形成され、その当接面２の略中央に天井部材から垂設された雄ねじに螺着される雌ねじ部３が刻設されている。下部は下方へボス状に突設され、その内側に螺合方向を垂直にした雌ねじ部４が刻設されている。５は筒状に形成された上部接続管であり、上端部外周に、台座１の下部の雌ねじ部４に螺着される雄ねじ部６が刻設されるとともに本体側面の上部位置、中間位置、下部位置の３箇所に、雌ねじ７〜９が貫通して刻設されている。
【０００９】
図１では、雌ねじ８に、押しねじであるところの六角穴付きボルト１１が螺着されている。１２は下部接続体であるところの下部接続管であり、筒状に形成されている。下部接続管１２は上部接続管５にその下端から抜き差し自在に挿入されるとともに下端部外周に雄ねじ部１３が刻設されている。この下部接続管１２を上部接続管５にその下端から挿入して、高さを調節した後、ボルト１１を締め込んで、下部接続管１２と上部接続管５とを固着する。なお、下部接続管１２は、中実とすることも可能である。
【００１０】
１４はチーズであり、上端には、下部接続管１２の雄ねじ部１３が螺着される雌ねじ部１５が刻設され、下部接続管１２に螺着されている。チーズ１４の下端には、下端にスプリンクラーヘッド１７を螺着した接続管１８が螺着される雌ねじ部１６が刻設されている。チーズ１４の中間の側面に突設された端部には、メカニカル継手１９が形成されて、給水管であるスプリンクラー用巻き出し管２１が接続されている。
なお、チーズ１４の雌ねじ部１５の奥の部分は、図３に示されるように、閉塞されていて、メカニカル継手１９の奥の部分と雌ねじ部１６の奥の部分が連通している。つまり、メカニカル継手１９側から流入した給水は雌ねじ部１６側へのみ流出する。
【００１１】
巻き出し管２１およびメカニカル継手１９は、図２〜図４に示されるように構成されている。すなわち、メカニカル継手１９は、巻き出し管２１が外側に嵌合されるインナーコア２２、その外側の外筒部２３、外筒部２３の外周部に刻設された雄ねじ部２４、Ｏリング２５，２６、ウェッジリング２７、ナット２８とから構成されている。これらを順番に組み立てて、ナット２８を雄ねじ部２４に締め込むことで、巻き出し管２１がチーズ１４に接続される。
【００１２】
巻き出し管２１は、薄肉金属管３１の内側に架橋ポリエチレン層３２を形成し、薄肉金属管３１の外側にポリエチレン層３３を形成した構造をしている。これらの製造は押し出し成形により行われる。薄肉金属管３１の材質はアルミニウム、銅、ステンレス、鋼およびそれらの合金を用いることが可能である。巻き出し管２１は、薄肉金属管３１の内側に架橋ポリエチレン層３２を形成し、薄肉金属管３１の外側にポリエチレン層３３を形成したことで、強度、耐蝕性等が増大する。特に、巻き出し管２１を配管の際に湾曲させたときに、架橋ポリエチレン層３２が薄肉金属管３１をその内側から構造的に支えることで、薄肉金属管３１が座屈することを効果的に防止する働きをする。さらに、巻き出し管２１は、従来使用されていたフレキシブル管に比較して通水時の圧力損失が小さいため、その分、送水用のポンプの小型化が可能となる。
【００１３】
薄肉金属管３１の外側のポリエチレン層３３は、一般的なポリエチレンであってもよいが、難燃性、耐火性を向上させるため、フィラーを混入することが好ましい。フィラーとしては、難燃性、耐火性を増大するものとして、ガラス繊維、ガラスビーズ、タルクその他の無機フィラー、または有機フィラーを用いることが可能である。また、図示しないが、ポリエチレン層３３の外表面に耐火塗料を塗布することが好ましい。具体的には、例えば、主成分としてポリ燐酸アンモニウムを含む塗料を塗布することが可能である。ポリ燐酸アンモニウムを含む塗料を塗布した場合、火災発生の際、雰囲気温度が２００〜３００度になると発泡を開始し、最終的には２５〜５０倍程度に発泡し、良好な断熱効果を発揮する。
【００１４】
次に、上述したスプリンクラーヘッド取付具の設置例について説明する。図４は、その設置例であり、天井部材３４に植設されたアンカーボルト等の雄ねじ３５に、台座１の雌ねじ部３を螺着して取り付けられている。この状態で、当接面２が天井部材３４に密着されている。台座１以下の上部接続管５、下部接続管１２、チーズ１４、スプリンクラーヘッド１７等は、予め、組み立てておき、現場では、台座１の螺着と、上部接続管５と下部接続管１２との高さ調節と、メカニカル継手１９への巻き出し管２１の接続のみとすると作業性が良い。なお、チーズ１４の雌ねじ部１６に直接スプリンクラーヘッド１７を螺着しているが、チーズ１４とスプリンクラーヘッド１７との間に接続管を接続して延長することも可能である。
【００１５】
上述した実施形態では、上部接続管５の内部に、下部接続管１２を挿入する構造としたが、下部接続管の内径を上部接続管の外径よりも大きくして、下部接続管の内部に上部接続管を挿入する構造とすることも可能である。その場合は、下部接続管側にボルトを螺着する雌ねじを刻設する。
また、メカニカル継手１９に接続される給水管は、上述した三層構造の巻き出し管２１以外に、ステンレスその他の材質のフレキシブル管を使用することも可能である。
【図面の簡単な説明】
【００１６】
【図１】本発明に係るスプリンクラーヘッド取付具の実施形態の斜視図である。
【図２】図１の分解斜視図である。
【図３】図１の一部を構成するチーズおよびメカニカル継手の分解断面図である。
【図４】設置状態を示す縦断面図である。
【符号の説明】
【００１７】
１  台座
２  当接面
３  雌ねじ部
４  雌ねじ部
５  上部接続管
６  雄ねじ部
７〜９  雌ねじ
１１  六角穴付きボルト
１２  下部接続管
１３  雄ねじ部
１４  チーズ
１５  雌ねじ部
１６  雌ねじ部
１７  スプリンクラーヘッド
１９  メカニカル継手
２１  スプリンクラー用巻き出し管
２２  インナーコア
２３  外筒部
２４  雄ねじ部
２５，２６  Ｏリング
２７  ウェッジリング
２８  ナット
３１  薄肉金属管
３２  架橋ポリエチレン層
３３  ポリエチレン層
３４  天井部材
３５  雄ねじ
【図１】
2010000263.tif 000003
【図２】
2010000263.tif 000004
【図３】
2010000263.tif 000005
【図４】
2010000263.tif 000006